(57)【特許請求の範囲】
【請求項１】
浴槽の側壁に貫通された状態で固定され、外部の給湯器と浴槽内との間で浴槽水の循環を行わせるための浴槽用循環具であって、
浴槽の側壁に設けられた貫通孔に浴槽内から挿通された状態で浴槽外の外部筒体に締付けられて側壁に固定される締付筒体と、該締付筒体内に挿入されて固定され、浴槽水の吸入用通路及び給湯器で加熱された加熱水を浴槽内へ吐出する吐出用通路が区画形成されたアダプターとを備え、該アダプターの外面にはフィルターカバーが装着され、該フィルターカバーの内周面には径方向内側に向かって突出する係合突起が設けられると共に、アダプターの外周部にはアダプター本体に片持ち支持されて周方向に延び径方向に弾性変形する弾性変形部を備え、該弾性変形部の外周面にはフィルターカバーの係合突起を案内、保持する案内保持部を設け、かつ弾性変形部とアダプター本体との間にばね性を有する補強リブを一体的に架設したことを特徴とする浴槽用循環具。
【請求項２】
前記補強リブは、くの字状をなしていることを特徴とする請求項１に記載の浴槽用循環具。
【請求項３】
前記補強リブは、くの字状を形成する一対のリブ片が端部で連結されて構成され、両リブ片の内側のなす角度は鋭角に設定されていることを特徴とする請求項１又は請求項２に記載の浴槽用循環具。
【請求項４】
前記補強リブは薄片状に形成されていることを特徴とする請求項１から請求項３のいずれか１項に記載の浴槽用循環具。
【請求項５】
前記補強リブは、弾性変形部の先端側とアダプター本体との間に設けられていることを特徴とする請求項１から請求項４のいずれか１項に記載の浴槽用循環具。
【請求項６】
前記補強リブは、一対のリブ片の連結部における断面形状が内面では鋭角状に形成され、外面では円弧状に形成されていることを特徴とする請求項３から請求項５のいずれか１項に記載の浴槽用循環具。
【発明の詳細な説明】
【技術分野】
【０００１】
本発明は、浴槽の側壁に取付けられ、浴槽水を外部の給湯器を介して循環させる配管を浴槽に接続し、浴槽水を循環して加熱するための浴槽用循環具に関するものである。
【背景技術】
【０００２】
この種の浴槽用循環具においては、浴槽の側壁に設けられた貫通孔に浴槽内から挿通された締付筒体が浴槽外の外部筒体に締付けられて側壁に固定されている。該締付筒体内には、浴槽水の吸入用通路及び給湯器で加熱された加熱水を浴槽内へ吐出する吐出用通路が区画形成されたアダプターが挿入されて固定されている。該アダプターの外面には、ごみなどの異物が吸入用通路に入り込まないようにするためのフィルターカバーが装着されている。一般に、該フィルターカバーの内面に設けられる凸部とアダプターに設けられる凸部とがアダプターに形成される弾性変形部の変形により係止され、フィルターカバーの抜け止めが行われている。しかし、浴槽用循環具を掃除するためにフィルターカバーの脱着を繰返し行うと、弾性変形部が次第に変形したり、損傷を受けたりするという問題があった。
【０００３】
このような問題を解決するための方策が検討されている。具体的に説明すると、フィルターカバー（フィルタ部材）は、該フィルターカバーの凸部と、アダプター（アダプタヘッド）の係止凸部とを係合させて抜け止め保持されている（例えば特許文献１を参照）。すなわち、フィルタ部材の内周面には内方に突出する凸部が設けられ、アダプタヘッドの外周面には弾性変形することによりフィルタ部材の凸部が通過可能な係止凸部を有するステンレス鋼製の板バネが弾性変形可能に取り付けられている。
【特許文献１】特許第３７０９７９６号公報（第１頁、第４頁及び第６頁）
【発明の開示】
【発明が解決しようとする課題】
【０００４】
ところが、特許文献１に記載されている浴槽用循環具では、アダプタヘッドの板バネが塑性変形を防止するためにステンレス鋼で形成されていることから、この板バネをアダプタヘッドに組付ける作業が非常に面倒であると共に、作業時間が長くなって製造効率が悪く、製造コストも嵩むという欠点があった。
【０００５】
そこで本発明の目的とするところは、弾性変形部が補強されて耐久性を有すると共に、構成を簡単にでき、製造効率を向上させ、製造コストの低減を図ることができる浴槽用循環具を提供することにある。
【課題を解決するための手段】
【０００６】
上記の目的を達成するために、請求項１に記載の発明の浴槽用循環具は、浴槽の側壁に貫通された状態で固定され、外部の給湯器と浴槽内との間で浴槽水の循環を行わせるための浴槽用循環具である。そして、浴槽の側壁に設けられた貫通孔に浴槽内から挿通された状態で浴槽外の外部筒体に締付けられて側壁に固定される締付筒体と、該締付筒体内に挿入されて固定され、浴槽水の吸入用通路及び給湯器で加熱された加熱水を浴槽内へ吐出する吐出用通路が区画形成されたアダプターとを備え、該アダプターの外面にはフィルターカバーが装着され、該フィルターカバーの内周面には径方向内側に向かって突出する係合突起が設けられると共に、アダプターの外周部にはアダプター本体に片持ち支持されて周方向に延び径方向に弾性変形する弾性変形部を備え、該弾性変形部の外周面にはフィルターカバーの係合突起を案内、保持する案内保持部を設け、かつ弾性変形部とアダプター本体との間にばね性を有する補強リブを一体的に架設したことを特徴とする。
【０００７】
請求項２に係る浴槽用循環具は、請求項１において、前記補強リブは、くの字状をなしていることを特徴とする。
請求項３に係る浴槽用循環具は、請求項１又は請求項２において、前記補強リブは、くの字状を形成する一対のリブ片が端部で連結されて構成され、両リブ片の内側のなす角度は鋭角に設定されていることを特徴とする。
【０００８】
請求項４に係る浴槽用循環具は、請求項１から請求項３のいずれか１項において、前記補強リブは薄片状に形成されていることを特徴とする。
請求項５の浴槽用循環具は、請求項１から請求項４のいずれか１項に係る発明において、前記補強リブは、弾性変形部の先端側とアダプター本体との間に設けられていることを特徴とする。
【０００９】
請求項６の浴槽用循環具は、請求項３から請求項５のいずれか１項に係る発明において、前記補強リブは、一対のリブ片の連結部における断面形状が内面では鋭角状に形成され、外面では円弧状に形成されていることを特徴とする。
【発明の効果】
【００１０】
本発明によれば、次のような効果を発揮することができる。
請求項１に係る浴槽用循環具においては、吸入用通路と吐出用通路が区画形成されたアダプターの外周部には、アダプター本体に片持ち支持されて周方向に延び径方向に弾性変形する弾性変形部が設けられ、該弾性変形部と前記アダプター本体との間にはばね性を有する補強リブが一体的に架設されている。このため、弾性変形部の弾性変形が補強リブにより補強されて弾性変形部の耐久性を向上させることができる。また、補強リブは、従来のステンレス鋼製の板バネとは異なり、弾性変形部及びアダプター本体と同一材質で一体的に形成することができるため、構成を簡単にでき、製造効率を向上させ、製造コストの低減を図ることができる。
【００１１】
請求項２の浴槽用循環具では、補強リブはくの字状をなしている。このため、請求項１に係る発明の効果に加えて、補強リブの変形（屈曲）を容易に行うことができる。
請求項３の浴槽用循環具では、補強リブは、くの字状を形成する一対のリブ片が端部で連結されて構成され、両リブ片の内側のなす角度は鋭角に設定されている。このため、請求項１又は請求項２に係る発明の効果に加えて、補強リブの屈曲が容易で、弾性変形部の弾性変形を安定した状態で円滑に行うことができる。
【００１２】
請求項４の浴槽用循環具では、補強リブは薄片状に形成されていることから、請求項１から請求項３のいずれかに係る発明の効果に加えて、補強リブの変形が一層容易で、弾性変形部の弾性変形をさらに円滑に行うことができる。
【００１３】
請求項５の浴槽用循環具では、補強リブは弾性変形部の先端側とアダプター本体との間に設けられていることから、請求項１から請求項４のいずれかに係る発明の効果に加えて、弾性変形部の弾性変形を有効に受け止めることができる。
【００１４】
請求項６の浴槽用循環具では、補強リブは、前記一対のリブ片の連結部における断面形状が内面では鋭角状に形成され、外面では円弧状に形成されている。このため、請求項３から請求項５のいずれかに係る発明の効果に加えて、補強リブの内面形状により補強リブの屈曲を容易にできると共に、補強リブの外面形状により補強リブの耐久性を向上させることができる。
【発明を実施するための最良の形態】
【００１５】
以下、本発明の最良と思われる実施形態につき、図面に基づいて詳細に説明する。
図５（ａ）及び（ｂ）に示すように、本実施形態の浴槽用循環具１１は、浴槽の側壁１２に設けられた貫通孔１３に内側から挿入される締付筒体１４と、側壁１２の外部に配設される外部筒体１５と、前記締付筒体１４に挿入固定されるアダプター１６と、該アダプター１６に装着されるフィルターカバー１７とを備えている。本実施形態の浴槽用循環具１１は有極性のものであり、給湯器からの配管１８及び給湯器への配管１９（図６（ｂ）を参照）と、浴槽用循環具１１の吐出用開口部３８に連通する接続口２２及び吸入用開口部３７に連通する接続口２０とがそれぞれ接続されるように予め定められている。
【００１６】
図５（ａ）、（ｂ）及び図６（ａ）、（ｂ）に示すように、前記外部筒体１５は黄銅などの金属又はポリフェニレンサルファイド（ＰＰＳ）などの合成樹脂からなり、その後端部（図６（ａ）の左端部）には、浴槽外部に配設された給湯器の強制循環配管の配管１９に接続される接続口２０及び配管１８に接続される接続口２２が設けられている。接続口２２の内周には、Ｏリング２４が嵌め込まれている。外部筒体１５の開口端部内周面には雌ねじ部２５が螺刻されている。外部筒体１５の開口端部にはフランジ部２６が設けられると共に、そのフランジ部２６にはシール材２７が被せられ、側壁１２の外側面との間の水密が確保されている。
【００１７】
締付筒体１４はポリアセタール等の合成樹脂により円筒状に形成され、その前端部（図５（ａ）及び（ｂ）の右端部）にはフランジ２８が突設されている。締付筒体１４の外周面には雄ねじ部２９が螺刻され、その雄ねじ部２９が前記外部筒体１５の雌ねじ部２５に螺合され、締付筒体１４と外部筒体１５とが浴槽の側壁１２を挟んで連結固定されるようになっている。締付筒体１４の内周面には軸線方向に延びる複数の回り止め突条３０が設けられている。フランジ２８の外周面には環状係合溝３１が凹設されている。該フランジ２８と側壁１２の内側面との間にはゴム製のパッキン３２が挟着され、両者間の水密が確保されている。
【００１８】
アダプター１６はポリアセタール等の合成樹脂により略円筒状に形成され、その前端部の内周面には周方向に延びる抜け防止爪３３（図４（ｃ）を参照）が突設され、前記締付筒体１４の環状係合溝３１に係合されるようになっている。これらアダプター１６の抜け防止爪３３と、締付筒体１４の環状係合溝３１との係合により、アダプター１６の抜け出しが防止されるようになっている。
【００１９】
図１（ａ）〜（ｃ）に示すように、アダプター１６の中心部には、前記外部筒体１５の中心部に設けられた接続口２２に接続される吐出用通路３４が設けられ、その周囲には外部筒体１５の接続口２０に接続される吸入用通路３５が設けられている。これらの吸入用通路３５と吐出用通路３４との間には、水の流れを仕切る区画壁３６が設けられている。吸入用通路３５の前方には吸入用開口部３７が設けられるとともに、吐出用通路３４の前方にはその方向が９０度変更された（図１（ｂ）の下方向）吐出用開口部３８が設けられている。アダプター１６の前部には位置決め用の係合突条４０が周方向に複数設けられ、前記締付筒体１４の回り止め突条３０に係合してアダプター１６の周方向への回転が規制されている。
【００２０】
図２（ａ）及び（ｂ）に示すように、アダプター１６の外周部には、図２（ｂ）の右端部のアダプター本体１６ａに片持ち支持されて周方向左方に延び、径方向に弾性変形する弾性変形部４１が突設されている。係る弾性変形部４１の外周面にはフィルターカバー１７の係合突起４３を案内、保持する案内保持部６０が設けられている。該案内保持部６０は、アダプター１６の軸線方向に延び係合突起４３を案内する案内溝４４と、該案内溝４４に周方向の隣接位置で軸線方向に延びる係止突条４５と、該係止突条４５に周方向の隣接位置で形成される保持溝４６と、周方向に延びる規制片４７及び軸線方向に延びる規制突条４８とより構成されている。そして、フィルターカバー１７の係合突起４３は案内溝４４から係止突条４５を乗り越え、保持溝４６に到ることでその位置に保持され、抜け出しが規制される。前記係止突条４５の頂部は、フィルターカバー１７の係合突起４３が係止突条４５を乗り越えやすいように断面円弧状に形成されている。ここで、案内溝４４の中央に位置する位置合せ溝４４ａは、案内溝４４より深く、軸線方向に延びる帯状に形成され、フィルターカバー１７の係合突起４３との位置合せ（目印）に使用するようになっている。なお、この位置合せ溝４４ａの部分を赤く塗るなどして判別しやすくすることもできる。
【００２１】
弾性変形部４１の先端部とアダプター本体１６ａとの間には、くの字状（断面くの字状）をなし、ばね性を有する薄片状の補強リブ４９が一体的に架設されている。該補強リブ４９は係合突起４３により弾性変形部４１から最も力を受けやすい弾性変形部４１の前端部（フィルターカバー１７側端部）に設けられ、その機能を有効に発揮できるようになっている。また、補強リブ４９は弾性変形部４１の基端側に凸となるように構成され、弾性変形部４１及びアダプター本体１６ａに対する補強リブ４９の接続部をできるだけ弾性変形部４１の先端側に設けることができる。このため、弾性変形部４１の弾性変形を安定した状態で行うことができる。当該補強リブ４９は、射出成形法などの成形方法によりアダプター本体１６ａ及び弾性変形部４１と一体的に形成される。
【００２２】
当該補強リブ４９は、くの字状を形成する一対のリブ片４９ａ、４９ｂが端部で連結されて構成され、両リブ片４９ａ、４９ｂの内側のなす角度は鋭角、例えば４０°に設定され、弾性変形部４１の弾性変形を支えて耐久性を図ると共に、補強リブ４９が変形（屈曲）しやすく、弾性変形部４１の弾性変形を補助するように構成されている。上記角度は３０〜６０°程度が好ましく、４０°が最も好ましい。この角度が３０°より小さい場合又は６０°より大きい場合には、補強リブ４９の付勢力が弱くなって弾性変形部４１の支持、補強が不十分となる。また、前記一対のリブ片４９ａ、４９ｂの連結部５０における断面形状が内面では鋭角状に形成され、外面では円弧状に形成され、その内面形状により補強リブ４９の屈曲を容易にし、外面形状により補強リブ４９の耐久性を高めるようになっている。
【００２３】
補強リブ４９の厚さは、例えば０．７ｍｍ程度に設定される。この厚さは０．５〜２．５ｍｍであることが好ましい。厚さが０．５ｍｍを下回ると、補強リブ４９が薄くなり過ぎてその付勢力が弱く、弾性変形部４１を十分に支持、補強することができなくなる。その一方、２．５ｍｍを上回ると、補強リブ４９が厚くなり過ぎて屈曲し難くなり、弾性変形部４１の弾性変形が困難になる。
【００２４】
前記アダプター１６の前部にはステンレス鋼製のフィルターカバー１７が装着されている。図３（ａ）〜（ｄ）に示すように、フィルターカバー１７は有底円筒状をなし、多数の流通孔５１を有する前面板５２と、その周囲から後方へ延びる周壁板５３とより一体形成されている。周壁板５３の内周面には３箇所にほぼ半球状をなす係合突起４３が突設され、前記アダプター１６の案内溝４４に位置合せして嵌め込んでからフィルターカバー１７を周方向に回動させ、係止突条４５を乗り越えて保持溝４６に位置させることにより、フィルターカバー１７の周方向及び軸線方向への動きを規制するように構成されている。図３（ｃ）及び（ｄ）に示すように、フィルターカバー１７の周壁板５３の１箇所には挿通孔５４が開口され、前記アダプター１６の吐出用開口部３８に連通されるようになっている。
【００２５】
上記のように構成された浴槽用循環具１１を浴槽の側壁１２に取付固定する場合には、図５（ａ）に示すように、浴槽の側壁１２に設けられた貫通孔１３に内側から締付筒体１４をパッキン３２を嵌挿した状態で挿通し、その雄ねじ部２９を側壁１２の外側に配設された外部筒体１５の雌ねじ部２５に螺合して締付け固定する。次いで、アダプター１６の吸入用通路３５を締付筒体１４内に挿入するようにしてアダプター１６の抜け防止爪３３を締付筒体１４の環状係合溝３１に係合させる。このようにして、吸入用通路３５が外部筒体１５の接続口２０に接続されると共に、吐出用通路３４が外部筒体１５の接続口２２に接続される。
【００２６】
続いて、フィルターカバー１７をアダプター１６に固定することにより、浴槽用循環具１１が図５（ｂ）に示すように構成される。そして、外部筒体１５の接続口２０を配管１９に、接続口２２を配管１８に、それぞれ接続する。その状態で、浴槽外の給湯器で浴槽水を循環させると、浴槽水はフィルターカバー１７の前面から吸い込まれ、吸入用開口部３７を通って吸入用通路３５に流れ、さらに配管１９を経て給湯器へと流れる。給湯器で加熱された加熱水は配管１８から吐出用通路３４を介して吐出用開口部３８からフィルターカバー１７の挿通孔５４を経て浴槽内へ吐出される。
【００２７】
次に、本実施形態の浴槽用循環具について作用を説明する。
さて、フィルターカバー１７をアダプター１６に装着する場合には、図４（ａ）に示すように、フィルターカバー１７の係合突起４３をアダプター１６の弾性変形部４１の案内溝４４に位置合せし、フィルターカバー１７をアダプター１６側に押圧して嵌め込む。続いて、図４（ｂ）に示すように、フィルターカバー１７を周方向（図中左方向）に回動させ、係合突起４３をアダプター１６の係止突条４５に当接させる。
【００２８】
次いで、図４（ｃ）に示すように、フィルターカバー１７を周方向にさらに回動させると、係合突起４３は係止突条４５上に乗り上げる。このとき、弾性変形部４１は径方向内側へ押圧されるため、弾性変形部４１はその基端部を中心に先端部が径方向内側へ弾性変形する。それと同時に、補強リブ４９は弾性変形部４１の弾性変形により径方向内側へ付勢され、その一対のリブ片４９ａ、４９ｂが近づくように屈曲する。このため、弾性変形部４１の弾性変形が補強リブ４９により支持、補強される。従って、フィルターカバー１７のアダプター１６への脱着を繰返し行っても、十分に耐えることができる。
【００２９】
次に、図４（ｄ）に示すように、フィルターカバー１７を周方向にさらに回動させると、係合突起４３は弾性変形部４１の保持溝４６に誘導される。係合突起４３が保持溝４６に到ると、弾性変形部４１の係止突条４５、規制突条４８及び規制片４７により係合突起４３はその位置に位置決め保持される。その場合、弾性変形部４１は径方向内側への押圧力が開放されるため、元の位置まで戻る。このとき、補強リブ４９は弾性変形部４１からの付勢力によって径方向内側へ付勢されていたため、弾性変形部４１を元に戻す方向に付勢する。従って、弾性変形部４１の弾性変形を安定した状態で行わせることができる。このようにして、アダプター１６へのフィルターカバー１７の装着が完了する。
【００３０】
以上の実施形態によって発揮される効果について、以下にまとめて記載する。
・  実施形態における浴槽用循環具１１では、アダプター１６の外周部には、アダプター本体１６ａに片持ち支持されて周方向に延び径方向に弾性変形する弾性変形部４１が設けられ、該弾性変形部４１とアダプター本体１６ａとの間にはばね性を有する補強リブ４９が一体的に架設されている。
【００３１】
このため、弾性変形部４１の弾性変形が補強リブ４９により補強されて弾性変形部４１の耐久性を向上させることができる。また、補強リブ４９は、従来のステンレス鋼製の板バネとは異なり、弾性変形部４１及びアダプター本体１６ａと同一材質で一体的に形成することができるため、構成を簡単にでき、製造効率を向上させ、製造コストの低減を図ることができる。
【００３２】
前記補強リブがくの字状をなしていることにより、その屈曲を容易に行うことができる。
・  前記補強リブ４９は、くの字状を形成する一対のリブ片４９ａ、４９ｂが端部で連結されて構成され、両リブ片４９ａ、４９ｂの内側のなす角度は鋭角に設定されることにより、補強リブ４９の屈曲が容易で、弾性変形部４１の弾性変形を安定した状態で円滑に行うことができる。
【００３３】
・  補強リブ４９は薄片状に形成されることにより、補強リブ４９の変形が一層容易で、弾性変形部４１の弾性変形をさらに円滑に行うことができる。
・  補強リブ４９は弾性変形部４１の先端側とアダプター本体１６ａとの間に設けられていることにより、弾性変形部４１の弾性変形を有効に受け止めることができる。
【００３４】
・  補強リブ４９は、前記一対のリブ片４９ａ、４９ｂの連結部５０における断面形状が内面では鋭角状に形成され、外面では円弧状に形成されることにより、補強リブ４９の内面形状により補強リブ４９の屈曲を容易にできると共に、補強リブ４９の外面形状により補強リブ４９の耐久性を向上させることができる。
【００３５】
・  補強リブ４９を設けたことにより、成形時に弾性変形部４１の規制片４７におけるひけなどによる弾性変形部４１の変形を防止することができる。
なお、本実施形態は、次のように変更して具体化することも可能である。
【００３６】
・  図７（ａ）に示すように、補強リブ４９のリブ片４９ａ、４９ｂの連結部５０の内側に断面矩形状（凹状）の切欠き５５を形成することができる。このように構成した場合、補強リブ４９の屈曲を容易にすることができる。
【００３７】
・  図７（ｂ）に示すように、補強リブ４９のリブ片４９ａ、４９ｂの連結部５０の内側に断面円弧状の切欠き５６を形成することができる。この場合、補強リブ４９の屈曲を容易にすることができる。
【００３８】
・  図７（ｃ）に示すように、補強リブ４９のリブ片４９ａ、４９ｂを基端側が厚く、連結部５０側が薄くなるようにテーパ状に形成することができる。この場合、補強リブ４９の強度を保持しつつ、屈曲を容易にすることができる。
【００３９】
・  前記補強リブ４９の幅は弾性変形部４１の幅に到るまで適宜設定することができ、弾性変形部４１の幅の半分又は弾性変形部４１と同じになるように設定することも可能である。
【００４０】
・  前記補強リブ４９を弾性変形部４１の先端側に凸となるように構成することもできる。
・  前記補強リブ４９を、断面Ｗ状、断面波状などのばね性を有する形状に構成することも可能である。
【００４１】
・  浴槽用循環具１１としては、給湯器からの配管１８及び給湯器への配管１９と、浴槽用循環具１１の接続口２２及び接続口２０との接続が定められていない無極性のタイプのものを使用することもできる。
【００４２】
さらに、前記実施形態より把握できる技術的思想について以下に記載する。
・  前記補強リブは、弾性変形部の基端側に凸となるように形成されていることを特徴とする請求項１から請求項５のいずれか１項に記載の浴槽用循環具。このように構成した場合、請求項１から請求項５のいずれかに係る発明の効果に加えて、弾性変形部及びアダプター本体に対する補強リブの接続部をできるだけ弾性変形部の先端側に設けることができ、弾性変形部の弾性変形を安定した状態で行うことができる。
【００４３】
・  前記補強リブは、弾性変形部のフィルターカバー側端部に設けられていることを特徴とする請求項１から請求項５のいずれか１項に記載の浴槽用循環具。このように構成した場合、請求項１から請求項５のいずれかに係る発明の効果に加えて、補強リブの機能を最も有効に発揮することができる。
【００４４】
・  前記案内保持部は、アダプターの軸線方向に延びフィルターカバーの係合突起を案内する案内溝と、該案内溝に周方向の隣接する位置で軸線方向に延びる係止突条と、該係止突条に周方向の隣接する位置で形成される保持溝と、前記案内溝及び係止突条を通って保持溝に案内された前記係合突起の抜け出しを規制するために周方向に延びる規制片及び軸線方向に延びる規制突条とより構成されていることを特徴とする請求項１から請求項５のいずれか１項に記載の浴槽用循環具。このように構成した場合、請求項１から請求項５のいずれかに係る発明の効果に加え、フィルターカバーの係合突起は案内溝から係止突条を乗り越えて保持溝に到り、その位置で保持される。
【図面の簡単な説明】
【００４５】
【図１】（ａ）はアダプターを示す左側面図、（ｂ）はアダプターを示す断面図及び（ｃ）はアダプターを示す右側面図。
【図２】（ａ）はアダプターの弾性変形部を拡大して示す平面図及び（ｂ）はアダプターの弾性変形部及び補強リブを拡大して示す正面図。
【図３】（ａ）はフィルターカバーを示す左側面図、（ｂ）はフィルターカバーを示す断面図、（ｃ）はフィルターカバーを示す右側面図及び（ｄ）はフィルターカバーを示す底面図。
【図４】（ａ）〜（ｄ）は浴槽用循環具の作用を説明するための図であって、アダプターを示す左側面図。
【図５】（ａ）は浴槽用循環具を分解して示す断面図、（ｂ）は浴槽用循環具の組付け状態を示す断面図。
【図６】（ａ）は組付け状態の浴槽用循環具を示す正面図及び（ｂ）は浴槽用循環具の左側面図。
【図７】（ａ）〜（ｃ）は本発明の別例を示す図であって、アダプターの弾性変形部及び補強リブを拡大して示す正面図。
【符号の説明】
【００４６】
１１…浴槽用循環具、１２…側壁、１３…貫通孔、１４…締付筒体、１５…外部筒体、１６…アダプター、１６ａ…アダプター本体、１７…フィルターカバー、３４…吐出用通路、３５…吸入用通路、４１…弾性変形部、４３…係合突起、４９…補強リブ、４９ａ、４９ｂ…リブ片、５０…連結部、６０…案内保持部。
【図１】
0005103200.tif 000002
【図２】
0005103200.tif 000003
【図３】
0005103200.tif 000004
【図４】
0005103200.tif 000005
【図５】
0005103200.tif 000006
【図６】
0005103200.tif 000007
【図７】
0005103200.tif 000008